(57)【要約】【課題】ルーバー用の羽根による水滴の分離性能を確保しつつ羽根の構成を簡単にする。【解決手段】羽根３は、空気の流通空間５を形成するとともに、流通空間５を見込み方向Ｔの一方側Ｔ１から他方側Ｔ２に向かって流通する空気から水滴を分離する。本体部１２は、羽根３の見込み方向Ｔの両端部の間において、見付け方向Ｓの一方側Ｓ１に凸な湾曲形状に形成される。第２水受け部２２は、本体部１２の見込み方向Ｔの中間部１６から見付け方向Ｓの一方側Ｓ１に突出する。第１ビスホール部３０は、本体部１２と第２水受け部２２が交わる位置に設けられ、見込み方向Ｔの一方側Ｔ１に向かって開口する第１水受け溝３３を形成する。【選択図】  図４
2017066805.tif 000002
【特許請求の範囲】
【請求項１】
ルーバーに複数並設されて互いの間に空気の流通空間を形成するとともに、前記流通空間を見込み方向の一方側から他方側に向かって流通する空気から水滴を分離するルーバー用の羽根であって、
前記羽根の見込み方向の両端部の間において、見付け方向の一方側に凸な湾曲形状に形成された本体部と、
前記本体部の見込み方向の中間部から見付け方向の一方側に突出する中間水受け部と、
前記本体部と前記中間水受け部が交わる位置に、又は、前記中間水受け部に設けられ、見込み方向の一方側に向かって開口する中間水受け溝を形成する中間ビスホール部と、
を備えたルーバー用の羽根。
【請求項２】
請求項１に記載されたルーバー用の羽根において、
前記本体部の見込み方向の一方側の端部と前記中間部との間の中間位置に設けられ、前記本体部から見込み方向の一方側に突出する止水部を備えたルーバー用の羽根。
【請求項３】
請求項１又は２に記載されたルーバー用の羽根において、
前記中間水受け部に対して見込み方向の他方側に位置し、前記本体部から見付け方向の一方側に突出して、前記中間水受け部の見込み方向の他方側に回り込む水滴を捕捉する突条を備えたルーバー用の羽根。
【請求項４】
請求項１ないし３のいずれかに記載されたルーバー用の羽根において、
前記本体部の見込み方向の他方側の端部に設けられ、見付け方向の一方側に向かって開口する他方側水受け溝を形成する他方側ビスホール部を備えたルーバー用の羽根。
【請求項５】
請求項４に記載されたルーバー用の羽根において、
前記他方側ビスホール部に対して見込み方向の他方側に位置し、前記他方側ビスホール部の見込み方向の他方側に回り込む水滴を捕捉する凹溝を備えたルーバー用の羽根。
【請求項６】
請求項１ないし５のいずれかに記載されたルーバー用の羽根において、
前記本体部の見込み方向の他方側の端部から見付け方向の他方側に突出する他方側水受け部を備えたルーバー用の羽根。
【請求項７】
請求項１ないし６のいずれかに記載された複数のルーバー用の羽根を備えたルーバー。
【請求項８】
請求項７に記載されたルーバーにおいて、
見付け方向に隣接する２つの前記羽根をみたときに、見付け方向の一方側に位置する前記羽根の本体部は、見付け方向の他方側に位置する前記羽根の中間水受け部の先端部を中心に配置されるルーバー。
【発明の詳細な説明】
【技術分野】
【０００１】
本発明は、ルーバーに複数並設されるルーバー用の羽根、及び、複数の羽根を備えたルーバーに関する。
【背景技術】
【０００２】
ルーバーは、建物の開口部等の通気が求められる場所に設置されて、複数の羽根を用いて通気を行う。複数の羽根は、ルーバーの枠体内に並設されて互いの間に空気の流通空間を形成し、空気は、流通空間を見込み方向に流通する。また、空気が水滴とともに流通空間を見込み方向の一方側から他方側に流通するときに、水滴が複数の羽根により捕捉されて空気から分離される。このように水滴を分離する羽根として、従来、複数の湾曲部を連結部により連結して保水溝を形成し、保水溝により、室外側から室内側に向かう雨水を捕捉するガラリ用の縦羽板が知られている（特許文献１参照）。
【０００３】
ところが、特許文献１に記載された従来の縦羽板（羽根）では、複数の保水溝により、雨水の分離性能を確保しており、保水溝の数に対応して、湾曲部と連結部の数が増加する。これに伴い、縦羽板の構成が複雑になり、縦羽板の見込み方向の幅が広くなることがある。従って、従来の縦羽板では、コンパクト化を図るのが難しく、設置場所が制限される虞もある。
【先行技術文献】
【特許文献】
【０００４】
【特許文献１】特許第４１７７８３２号公報
【発明の概要】
【発明が解決しようとする課題】
【０００５】
本発明は、前記従来の問題に鑑みなされたもので、その目的は、ルーバー用の羽根による水滴の分離性能を確保しつつ羽根の構成を簡単にして、羽根のコンパクト化を図ることである。
【課題を解決するための手段】
【０００６】
本発明は、ルーバーに複数並設されて互いの間に空気の流通空間を形成するとともに、前記流通空間を見込み方向の一方側から他方側に向かって流通する空気から水滴を分離するルーバー用の羽根である。羽根は、前記羽根の見込み方向の両端部の間において、見付け方向の一方側に凸な湾曲形状に形成された本体部と、前記本体部の見込み方向の中間部から見付け方向の一方側に突出する中間水受け部と、前記本体部と前記中間水受け部が交わる位置に、又は、前記中間水受け部に設けられ、見込み方向の一方側に向かって開口する中間水受け溝を形成する中間ビスホール部と、を備える。
また、本発明は、複数のルーバー用の羽根を備えたルーバーである。
【発明の効果】
【０００７】
本発明によれば、ルーバー用の羽根による水滴の分離性能を確保しつつ羽根の構成を簡単にして、羽根のコンパクト化を図ることができる。
【図面の簡単な説明】
【０００８】
【図１】本実施形態のルーバーの正面図である。
【図２】本実施形態のルーバーの断面図である。
【図３】本実施形態のルーバーの断面図である。
【図４】本実施形態の羽根の断面図である。
【発明を実施するための形態】
【０００９】
本発明のルーバー用の羽根及びルーバーの一実施形態について、図面を参照して説明する。
本実施形態のルーバーは、水滴の通過を防止する防水ルーバーであり、ガラリともいう。また、本実施形態のルーバー用の羽根（以下、単に、羽根という）は、羽板（又は、羽根板）ともいい、ルーバー内で、縦方向（上下方向）、又は、横方向（水平方向）に沿って配置される。以下では、縦方向に沿って配置される羽根を備えたルーバーを例にとり、ルーバー及び羽根について説明する。
【００１０】
図１は、本実施形態のルーバー１の正面図であり、図２、図３は、ルーバー１の断面図である。図２は、図１のＸ１−Ｘ１で切断したルーバー１を示し、図３は、図１のＸ２−Ｘ２線で切断したルーバー１を示している。
図示のように、ルーバー１は、方形状の枠体２と、見付け方向Ｓに並設された複数の羽根３と、ビス４を備えている。枠体２は、例えば、枠組された上枠、下枠、及び、一対の縦枠からなり、枠体２の内側に配置された複数の羽根３を保持する。ビス４は、羽根３を枠体２に取り付ける取付部材であり、枠体２の外側から羽根３の長手方向の両端部に固定されて、羽根３の両端部を枠体２の上部と下部（例えば、上枠と下枠）に取り付ける。複数のビス４により、羽根３は、枠体２に取り付けられて支持される。
【００１１】
ルーバー１は、通気が求められる通気部に設置されて、見込み方向Ｔに空気を流通させる。通気部は、例えば、囲い、仕切り、又は、建物の開口部であり、ルーバー１は、通気部の一部又は全体に設けられる。ルーバー１は、見込み方向Ｔの一方側Ｔ１と他方側Ｔ２との間で空気を流通させて、通気を行う。また、空気が水滴とともに見込み方向Ｔの一方側Ｔ１から他方側Ｔ２に向かって流通するときに、ルーバー１は、複数の羽根３により、水滴を捕捉して、水滴を含む空気から水滴を分離する。
【００１２】
ルーバー１が風雨を受けるときには、水滴は雨水であり、ルーバー１は雨水を捕捉する。また、ルーバー１が建物の外壁の開口部に設置されるときには、見込み方向Ｔの一方側Ｔ１は屋外側であり、見込み方向Ｔの他方側Ｔ２は屋内側である。この場合には、ルーバー１は、風雨から雨水を分離して、空気を室内まで流通させる。これに対し、ルーバー１がエクステリア（例えば、テラス、ベランダ、バルコニー）用の囲いに設置されるときには、見込み方向Ｔの一方側Ｔ１は囲いの外側であり、見込み方向Ｔの他方側Ｔ２は囲いの内側である。この場合には、ルーバー１は、風雨から雨水を分離して、囲いの内側まで空気を流通させる。
【００１３】
羽根３は、ルーバー１の枠体２内に複数並設されて、互いの間に空気の流通空間５を形成する（図３参照）。羽根３は、例えば、アルミニウム合金製、又は、合成樹脂製の長尺部材であり、押出成形により一体成形されて、所定の断面形状に形成される。羽根３の長手方向に直交する断面の形状（羽根３の見込み方向Ｔの断面形状）は、羽根３の長手方向の全体に渡って同じ形状に形成されている。複数の羽根３は、所定間隔で配列して平行に配置され、ルーバー１内に、同じ形状の複数の流通空間５を形成する。ルーバー１を見込み方向Ｔからみたときに、複数の羽根３は、部分的に重なるように、見付け方向Ｓに順に配置される。
【００１４】
流通空間５は、隣接する羽根３の間に形成されて、羽根３の見込み方向Ｔ（幅方向）に空気を流通させる。また、流通空間５は、羽根３の長手方向に沿って連続して延び、羽根３の見込み方向Ｔの一方側Ｔ１及び他方側Ｔ２に向かって開放されている。空気は、流通空間５を通過して、ルーバー１の見込み方向Ｔの一方側Ｔ１から他方側Ｔ２まで、又は、ルーバー１の見込み方向Ｔの他方側Ｔ２から一方側Ｔ１まで流通する。空気が、水滴とともに、流通空間５を見込み方向Ｔの一方側Ｔ１から他方側Ｔ２に向かって流通するときに、複数の羽根３は、複数の流通空間５のそれぞれを流通する空気から水滴を分離する。
【００１５】
図４は、本実施形態の羽根３の断面図であり、３つの羽根３を図３と同様に示している。また、図４では、水滴を模式的に点線で示している。
図示のように、水滴は、空気とともに、見込み方向Ｔの一方側Ｔ１から羽根３に向かって移動して、流通空間５内に入り、流通空間５を見込み方向Ｔの一方側Ｔ１から他方側Ｔ２に向かって移動する。複数の羽根３は、見込み方向Ｔの一方側Ｔ１に位置する流通空間５の入口部、流通空間５の見込み方向Ｔの中間部、及び、見込み方向Ｔの他方側Ｔ２に位置する流通空間５の出口部において、水滴を捕捉して、空気から水滴を分離する。
【００１６】
羽根３は、２つの見付け部（第１見付け部１０、第２見付け部１１）と、１つの本体部１２と、水滴を止める止水部２０と、水滴を受ける３つの水受け部（第１水受け部２１、第２水受け部２２、第３水受け部２３）と、ビス４を固定するための２つのビスホール部（第１ビスホール部３０、第２ビスホール部３１）と、水滴を捕捉する１つの突条４０と、水滴を捕捉する１つの凹溝４１を備えている。羽根３の各部１０〜１２、２０〜２３、３０、３１、４０、４１は、羽根３の長手方向に連続して延び、羽根３の長手方向の全体に渡って形成されている。水滴は、羽根３の各部２０〜２３、３０、３１、４０、４１により捕捉され、羽根３の長手方向（ここでは、下方）に移動してルーバー１外に排出される。
【００１７】
第１見付け部１０は、見込み方向Ｔの一方側Ｔ１に位置する羽根３の一方側見付け部であり、第２見付け部１１は、見込み方向Ｔの他方側Ｔ２に位置する羽根３の他方側見付け部である。第１見付け部１０は、本体部１２の見込み方向Ｔの一方側Ｔ１の部分であり、本体部１２の見込み方向Ｔの一方側Ｔ１の端部（一方側端部１３）と止水部２０の間に位置する本体部１２からなる。第２見付け部１１は、第３水受け部２３と第２ビスホール部３１からなり、本体部１２の見込み方向Ｔの他方側Ｔ２の端部（他方側端部１４）に繋がり、他方側端部１４から見付け方向Ｓの一方側Ｓ１と他方側Ｓ２に突出する。
【００１８】
羽根３の本体部１２は、流通空間５を区画する区画部であり、羽根３の見込み方向Ｔの一端部から他端部まで設けられている。また、本体部１２は、円弧状に湾曲した湾曲部であり、羽根３の見込み方向Ｔの両端部の間において、見付け方向Ｓの一方側Ｓ１に凸な湾曲形状に形成されている。見付け方向Ｓは、複数の羽根３の並設方向であり、本体部１２は、見付け方向Ｓの一方側Ｓ１に隣接する羽根３に向かって突出する。隣接する羽根３の本体部１２が平行に配置されて、流通空間５が隣接する羽根３の本体部１２の間に区画されて形成される。
【００１９】
本体部１２の見込み方向Ｔの両端側の一部を除いた部分は、所定の曲率半径の円弧形状に形成された円弧部１５である。止水部２０は、本体部１２の一方側端部１３と中間部１６との間の中間位置に設けられて、本体部１２から見込み方向Ｔの一方側Ｔ１に突出する。本体部１２の中間部１６は、本体部１２の見込み方向Ｔの中間に位置する部分であり、本体部１２の見付け方向Ｓに最も突出する頂点は、本体部１２の中間部１６に位置する。一方側端部１３と中間部１６との間の中間位置は、本体部１２に沿う距離をみたときに、本体部１２の一方側端部１３と中間部１６の中間となる位置である。止水部２０は、第１見付け部１０の見付け方向Ｓの一方側Ｓ１の端部に形成され、第１見付け部１０と流通空間５の間に配置されている。
【００２０】
水受け部２１〜２３は、それぞれ板状に形成され、水滴を受け止めて捕捉する。第１水受け部２１は、本体部１２（羽根３）の見込み方向Ｔの一方側Ｔ１に位置する一方側水受け部であり、第３水受け部２３は、本体部１２の見込み方向Ｔの他方側Ｔ２に位置する他方側水受け部である。また、第２水受け部２２は、本体部１２の見込み方向Ｔの中間に位置する中間水受け部である。ここでは、第１水受け部２１は、羽根３の第１見付け部１０と止水部２０からなる。水滴は、第１見付け部１０に向かって移動して第１見付け部１０により受けられ、止水部２０により止められる。第１水受け部２１は、羽根３の見込み方向Ｔの一方側Ｔ１で水滴を受け止めて、止水部２０により、第１見付け部１０に付着した水滴が流通空間５に入るのを防止する。
【００２１】
第２水受け部２２は、本体部１２の見込み方向Ｔの中間部１６から見付け方向Ｓの一方側Ｓ１（本体部１２の突出方向）に突出して、流通空間５の見込み方向Ｔの中間に配置される。また、第２水受け部２２は、流通空間５の一部を遮るように、流通空間５内に配置されて、流通空間５内を移動する水滴を受ける。水返し部２４が第２水受け部２２の先端部２５から見込み方向Ｔの一方側Ｔ１に突出して、第２水受け部２２が水返し部２４と本体部１２の間で水滴を受け止める。
【００２２】
羽根３の第２水受け部２２は、本体部１２の頂点である中間部１６に形成され、中間部１６から、見付け方向Ｓの一方側Ｓ１に隣接する羽根３の本体部１２の内部まで突出する。見付け方向Ｓに隣接する２つの羽根３をみたときに、見付け方向Ｓの一方側Ｓ１に位置する羽根３の本体部１２は、見付け方向Ｓの他方側Ｓ２に位置する羽根３の第２水受け部２２の先端部２５を中心に配置される。従って、第２水受け部２２の先端部２５は、見付け方向Ｓの一方側Ｓ１に隣接する羽根３の本体部１２の内部に配置される。また、本体部１２に形成された円弧部１５の曲率半径の中心は、見付け方向Ｓの他方側Ｓ２に隣接する羽根３の第２水受け部２２の先端部２５に位置する。
【００２３】
突条４０は、第２水受け部２２に対して見込み方向Ｔの他方側Ｔ２に位置し、本体部１２から見付け方向Ｓの一方側Ｓ１に突出する。水滴が第２水受け部２２を越えて第２水受け部２２の見込み方向Ｔの他方側Ｔ２に回り込んだときに、突条４０が水滴を捕捉する。水滴は、第２水受け部２２と突条４０の間に形成された隙間に入り、突条４０により止められる。突条４０は、見込み方向Ｔの他方側Ｔ２に向かう水滴を捕捉して、本体部１２の表面に沿う水滴の移動を止める。
【００２４】
第３水受け部２３は、本体部１２の他方側端部１４から見付け方向Ｓの他方側Ｓ２（本体部１２の突出方向の反対方向）に突出して、流通空間５の出口部（流通空間５の見込み方向Ｔの他方側Ｔ２の端部）に配置される。また、第３水受け部２３は、流通空間５の一部を遮るように配置されて、流通空間５内を移動する水滴を受ける。水返し部２６が第３水受け部２３の先端部２７から見込み方向Ｔの一方側Ｔ１に突出して、第３水受け部２３が水返し部２６と第２ビスホール部３１の間で水滴を受け止める。第３水受け部２３は、流通空間５内の空気の流通方向に沿って配置されており、流通空間５内の空気の流通に影響を与え難くなっている。
【００２５】
ビスホール部３０、３１は、羽根３のビスホール（ビス挿入孔）が形成された部分であり、ビスホールと、ビスホールの一部を囲むビスホールの周辺部からなる。第１ビスホール部３０は、本体部１２の見込み方向Ｔの中間に位置する中間ビスホール部であり、第２ビスホール部３１は、本体部１２の見込み方向Ｔの他方側Ｔ２に位置する他方側ビスホール部である。ビスホール部３０、３１は、ビス４の固定用の孔部であり、断面Ｃ字状に形成されている。羽根３をルーバー１の枠体２に取り付けるときに、ビス４は、枠体２の外側からビスホール部３０、３１の端部に挿入されて、ビスホール部３０、３１に螺合する。ビス４は、ビスホール部３０、３１の端部に挿入された状態で固定されて、ビスホール部３０、３１の端部に保持される。
【００２６】
第１ビスホール部３０は、見込み方向Ｔの一方側Ｔ１に向かって開口する開口部３２を有し、本体部１２と第２水受け部２２が交わる位置に設けられている。第１ビスホール部３０は、開口部３２において見込み方向Ｔの一方側Ｔ１に向かって開放されており、水滴を受ける第１水受け溝３３を形成する。第１水受け溝３３は、本体部１２の見込み方向Ｔの中間に位置する中間水受け溝であり、見込み方向Ｔの一方側Ｔ１に向かって開口する。第１ビスホール部３０の開口部３２と第１水受け溝３３は、羽根３の長手方向に延び、水滴は、開口部３２から第１水受け溝３３内に入る。第１ビスホール部３０及び第１水受け溝３３は、第２水受け部２２の一部を構成し、第１水受け溝３３は、第２水受け部２２とともに、流通空間５内を移動する水滴を受けて捕捉する。
【００２７】
第２ビスホール部３１は、見付け方向Ｓの一方側Ｓ１に向かって開口する開口部３４を有し、本体部１２の他方側端部１４に設けられている。第２ビスホール部３１は、開口部３４において見付け方向Ｓの一方側Ｓ１に向かって開放されており、水滴を受ける第２水受け溝３５を形成する。第２水受け溝３５は、本体部１２の見込み方向Ｔの他方側Ｔ２に位置する他方側水受け溝であり、見付け方向Ｓの一方側Ｓ１に向かって開口する。
【００２８】
第２ビスホール部３１の開口部３４と第２水受け溝３５は、羽根３の長手方向に延び、水滴は、開口部３４から第２水受け溝３５内に入る。第２水受け溝３５は、本体部１２に対して見付け方向Ｓの一方側Ｓ１に位置する流通空間５に向かって開口する。見付け方向Ｓに隣接する２つの羽根３をみたときに、見付け方向Ｓの一方側Ｓ１に位置する羽根３の第３水受け部２３と、見付け方向Ｓの他方側Ｓ２に位置する羽根３の第２水受け溝３５は、２つの羽根３の間で対向して配置される。第３水受け部２３と第２水受け溝３５は、流通空間５の出口部に配置されて、流通空間５の出口部まで移動した水滴を受けて捕捉する。
【００２９】
凹溝４１は、第２見付け部１１に断面凹形状に形成され、第２ビスホール部３１に対して見込み方向Ｔの他方側Ｔ２に位置する。また、凹溝４１は、第２ビスホール部３１と第３水受け部２３の間に位置し、凹溝４１の内面は、滑らかに湾曲した湾曲面になっている。水滴が第２ビスホール部３１を越えて第２ビスホール部３１の見込み方向Ｔの他方側Ｔ２に回り込んだときに、凹溝４１が水滴を捕捉する。その際、凹溝４１は、毛細管現象により、水滴を吸収して捕捉する。
【００３０】
空気が水滴とともに見込み方向Ｔの一方側Ｔ１から他方側Ｔ２に向かって流通空間５を流通するときには、まず、止水部２０と第１水受け部２１が、流通空間５の外部で、水滴を受けて捕捉する。続いて、流通空間５の内部で、第２水受け部２２と第１ビスホール部３０の第１水受け溝３３が、水滴を受けて捕捉し、突条４０が、第２水受け部２２を回り込んだ水滴を捕捉する。最後に、第３水受け部２３と第２ビスホール部３１の第２水受け溝３５が、水滴を受けて捕捉し、凹溝４１が、第２ビスホール部３１を回り込んだ水滴を捕捉する。
【００３１】
このように、水滴は、羽根３の各部２０〜２３、３３、３５、４０、４１により、順に捕捉されて空気から分離される。捕捉された水滴は、羽根３の長手方向に移動して、ルーバー１から排出される。ルーバー１は、複数の羽根３により、水滴を分離しつつ、空気を流通空間５の一方側Ｔ１から他方側Ｔ２まで流通させて、水滴を分離した空気を通過させる。
【００３２】
以上説明した羽根３では、羽根３の見込み方向Ｔの両端部の間の部分が湾曲形状に形成された１つの本体部１２からなるため、羽根３の形状と構造を単純にすることができる。また、流通空間５内の第２水受け部２２と第１水受け溝３３により、羽根３の水滴を受ける部分の容量を確保して、流通空間５内を移動する水滴を確実に捕捉することができる。加えて、第１水受け溝３３が見込み方向Ｔの一方側Ｔ１に向かって開口する第１ビスホール部３０であり、羽根３の取り付けに必要な第１ビスホール部３０を有効に活用することができる。
【００３３】
従って、羽根３による水滴の分離性能を確保しつつ羽根３の構成を簡単にして、羽根３のコンパクト化を図ることができる。これに伴い、例えば、羽根３の見込み方向Ｔの幅を狭くすることができ、ルーバー１の開口率を大きくすることもできる。止水部２０と第１水受け部２１により、流通空間５の外部で水滴を止めて、流通空間５に入る水滴を減少させることができる。突条４０により、第２水受け部２２を回り込む水滴を捕捉して、流通空間５内を見込み方向Ｔの他方側Ｔ２に移動する水滴を、より減少させることができる。
【００３４】
第２水受け溝３５と第３水受け部２３により、本体部１２の他方側端部１４の位置で水滴を捕捉して、水滴が流通空間５を通過するのを、より抑制することができる。第２水受け溝３５が見付け方向Ｓの一方側Ｓ１に向かって開口する第２ビスホール部３１であり、羽根３の取り付けに必要な第２ビスホール部３１を有効に活用することができる。凹溝４１により、第２ビスホール部３１を回り込む水滴を捕捉して、羽根３による水滴の捕捉をより確実に行うことができる。
【００３５】
なお、第１ビスホール部３０は、本体部１２から離して、第２水受け部２２に設けるようにしてもよい。この場合には、水滴は、水返し部２４と第１ビスホール部３０の間の第２水受け部２２、第１水受け溝３３、及び、第１ビスホール部３０と本体部１２の間の第２水受け部２２により、受け止められて捕捉される。また、第１ビスホール部３０のみにより、羽根３がルーバー１の枠体２に取り付けられるときには、第２ビスホール部３１及び第２水受け溝３５を羽根３に設けなくてもよい。
【符号の説明】
【００３６】
１・・・ルーバー、２・・・枠体、３・・・羽根、４・・・ビス、５・・・流通空間、１０・・・第１見付け部、１１・・・第２見付け部、１２・・・本体部、１３・・・一方側端部、１４・・・他方側端部、１５・・・円弧部、１６・・・中間部、２０・・・止水部、２１・・・第１水受け部、２２・・・第２水受け部、２３・・・第３水受け部、２４・・・水返し部、２５・・・先端部、２６・・・水返し部、２７・・・先端部、３０・・・第１ビスホール部、３１・・・第２ビスホール部、３２・・・開口部、３３・・・第１水受け溝、３４・・・開口部、３５・・・第２水受け溝、４０・・・突条、４１・・・凹溝、Ｓ・・・見付け方向、Ｔ・・・見込み方向。
【図１】
2017066805.tif 000003
【図２】
2017066805.tif 000004
【図３】
2017066805.tif 000005
【図４】
2017066805.tif 000006